(57)【要約】  枢動可能に接続された第一（１２）及び第二（１４）の刃部材を有する鋏（１０）、特に手術鋏であって、少なくとも一方の刃部材は、この刃部材に沿って少なくとも部分的に延びる拘束部材（４６）と組み合わされ、拘束部材から離間し、切断行程中に刃部材の互いに対して遠ざかる相対的横方向移動を拘束するために切断時に他方の刃部材を少なくとも部分的に収容するスロット（５６）を画定している鋏（１０）。これにより、刃部同士を遠ざける方向に広げてしまうであろう切れにくいものや滑りやすいものの切断が可能となる。【選択図】図１
2008529700.tif 000002
【特許請求の範囲】
【請求項１】
枢動可能に接続された第一及び第二の刃部材を有する鋏であって、第二の刃部材は、この刃部材に沿って少なくとも部分的に延びる拘束部材と組み合わされると共に拘束部材から離間され、切断行程中に刃部材の互いに対して遠ざかる相対的横方向移動を拘束するために切断時に第一の刃部材を少なくとも部分的に収容するスロット或いはチャネルを画定している鋏。
【請求項２】
切断行程の最後において鋏が閉じられたとき、第一の刃部材と拘束部材の間に間隙がある、請求項１に記載の鋏。
【請求項３】
第一の刃部材はスロット或いはチャネルの幅よりも薄い、請求項２に記載の鋏。
【請求項４】
切断行程中、拘束部材は第一の刃部材に当接している、請求項１に記載の鋏。
【請求項５】
切断行程中、第一の刃部材の移動に伴って拘束部材が弾性変形する、請求項４に記載の鋏。
【請求項６】
第一の刃部材はスロット或いはチャネルの幅よりも厚い、請求項４又は５に記載の鋏。
【請求項７】
拘束部材は円形断面である、請求項１〜６のいずれかに記載の鋏。
【請求項８】
第二の刃部材と拘束部材とは、共有の長さの少なくとも一部に沿って連結されている、請求項１〜７のいずれかに記載の鋏。
【請求項９】
第二の刃部材と拘束部材とはＵ字断面を画定している、請求項８に記載の鋏。
【請求項１０】
第二の刃部材と拘束部材とは、共有の長さに沿って所定の間隔で連結されている、請求項８又は９に記載の鋏。
【請求項１１】
拘束部材は遠位端と近位端とを有し、第二の刃部材と拘束部材とは共有の長さの殆どに沿って分離されている、請求項１〜１０のいずれかに記載の鋏。
【請求項１２】
第二の刃部材と拘束部材とは拘束部材の両端において接合されている、請求項１１に記載の鋏。
【請求項１３】
第二の刃部材と拘束部材とは拘束部材の遠位端において接合されている、請求項１１に記載の鋏。
【請求項１４】
第二の刃部材と拘束部材とは拘束部材の近位端において接合されており、拘束部材の遠位端は第二の刃部とは接合されていない、請求項１〜１３のいずれかに記載の鋏。
【請求項１５】
拘束部材の近位端は第一の刃部材と第二の刃部材の間の支点を形成している、請求項１４に記載の鋏。
【請求項１６】
第二の刃部材と拘束部材とは、第一の刃部材を収容するための底が開いたスロットを画定している、請求項１１〜１５のいずれか一項に記載の鋏。
【請求項１７】
第二の刃部材と拘束部材とは一体的に形成されている、請求項１〜１６のいずれかに記載の鋏。
【請求項１８】
第一の刃部材は第一のカッティングエッジを画定し、第二の刃部材は第二のカッティングエッジを画定し、切断行程中、カッティングエッジ同士の交差点は遠位方向に移動する、請求項１〜１７のいずれかに記載の鋏。
【請求項１９】
拘束部材は第三のカッティングエッジを画定し、第一のカッティングエッジは、切断行程中、第二のカッティングエッジと第三のカッティングエッジの間を通る、請求項１８に記載の鋏。
【請求項２０】
カッティングエッジの内の少なくとも１個は面取りされている或いは傾斜している、請求項１８又は１９に記載の鋏。
【請求項２１】
カッティングエッジの内の少なくとも１個は長手方向に湾曲しているか或いはスカラップ形状である、請求項１８〜２０のいずれかに記載の鋏。
【請求項２２】
カッティングエッジの内の少なくとも１個は鋸歯状である、請求項１８〜２１のいずれかに記載の鋏。
【請求項２３】
第一の刃部と拘束部材の接点或いは接触領域は、第一の刃部の広がり変形を、変形力が加わる点の反対側で拘束するため、対向するカッティングエッジ同士の交差点と整合して一緒に移動する、請求項１８〜２２のいずれかに記載の鋏。
【請求項２４】
拘束部材のエッジは第二の刃部のカッティングエッジと平行である、請求項１８〜２３のいずれかに記載の鋏。
【請求項２５】
拘束部材のエッジは第二の刃部のカッティングエッジと同じ高さである、請求項２４に記載の鋏。
【請求項２６】
拘束部材のエッジと第二の刃部のカッティングエッジと同一面上に存在する、請求項２５に記載の鋏。
【請求項２７】
拘束部材は第二の刃部より背が低く、これらの高さの差は、拘束部材と第二の刃部の間のスロット或いはチャネルの幅に少なくとも等しい、請求項１〜２６のいずれかに記載の鋏。
【請求項２８】
拘束部材と第一の刃部とは、対向する協働可能な面を有する、請求項１〜２７のいずれかに記載の鋏。
【請求項２９】
切断行程が進むのに伴い、スロット或いはチャネルに収容される第一の刃部材の部分が増加する、請求項１〜２８のいずれかに記載の鋏。
【請求項３０】
枢動可能に接続された第一及び第二の刃部材を有し、各刃部材は持ち手部と刃部とを有する鋏であって、
切断行程中の刃部同士が離れる相対的横方向移動に対抗するため、持ち手部同士を横方向に離れるように付勢させて刃部同士を横方向に接近させるように付勢するため、少なくとも一方の持ち手部は、切断行程中に他方の持ち手部と協働可能な楔手段を含むことを特徴とする鋏。
【請求項３１】
楔手段は、切断行程中に他方の持ち手部と摺動接触する傾斜面を有する、請求項３０に記載の鋏。
【請求項３２】
楔手段は肉厚の端部と薄い端部とを有し、楔手段と他方の持ち手部の間の接触領域は、切断行程中に薄い端部から肉厚の端部に向けて移動する、請求項３０又は３１に記載の鋏。
【請求項３３】
楔手段は、一方の持ち手部から他方の持ち手部に向かって突出している、請求項３０〜３２のいずれかに記載の鋏。
【請求項３４】
楔手段は、持ち手部の全長の略中間に配置されている、請求項３０〜３３のいずれかに記載の鋏。
【請求項３５】
一方の持ち手部に組み合わせられた第二の楔手段を更に有する、請求項３０〜３４のいずれかに記載の鋏。
【請求項３６】
第二の楔手段は他方の持ち手部に組み合わせられる、請求項３５に記載の鋏。
【請求項３７】
添付図面のいずれかを参照して明細書において説明したか或いは添付図面のいずれかに図示したものと実質的に同一の鋏。
【発明の詳細な説明】
【技術分野】
【０００１】
本発明は鋏、特に手術鋏に関するが、手術鋏に限定されるものではない。
【背景技術】
【０００２】
手術鋏は、外科医や手術室スタッフ、その他の医療実務者にとって欠かせない道具であり、患者の組織の切断や摘出、縫合に使用される。これら鋏は、きれいに、効果的に且つ正確に切断できる必要があり、壊れにくく、殺菌に適したものである必要がある。全ての手術手続きにおいて、切断の正確性が重要であることは理解できるであろう。きれいに切断を行うことは、外傷や周りの組織の炎症を最小限に抑えるために特に重要である。
【０００３】
従来の手術鋏は２個の鋏部材を有し、各鋏部材は遠位の刃部と近位の持ち手部とを有する。刃部は、カッティングエッジと接触面と外面と先端とを有する。指穴は持ち手部の近位端に配置されている。鋏部材は、刃部と持ち手部の間の枢軸において互いに枢動可能に接続されており、鋏が閉じられると接触面同士は当接できる。従来の鋏においては、持ち手部を互いに握りしめることにより刃部の先端同士は接近方向に移動し、刃部の接触面は、それらの面に平行に互いに摺動する。その間に、カッティングエッジは互いに交差し、接点において互いに接触するが、刃部材が互いに近づくに伴って接点はカッティングエッジに沿って遠位側に移動する。接点における対向する刃部のカッティングエッジの剪断作用により切断が達成される。従来、手術鋏は、人間工学に基づいて左手でも右手でも使用できるように構成されている。
【０００４】
この従来の鋏の設計は、靭帯や大きな組織部分等の切れにくい繊維組織を切断する場合は効果的ではない。そのような状況においては、鋏の刃部材は外に広がってしまったり組織が滑ったりして、正確に切断できないか或いは全く切れない。更に、刃部材同士が広がることによって誤った位置合せが行われると、広がった刃部材の間に組織が挟まれ、挟まった組織を取り除くまで鋏は使用できなくなってしまう。刃部が広がる機会を最小限に抑えるため、外科医は、一回できれいな切断を行うのではなく、切れにくい組織に対して細かい切断を何度も行わなければならない。しかしながら、細かい切断を何度も行うと、不正確で乱雑なギザギザ断面の切断となり、手術を長引かせてしまうことになる。
【０００５】
手術鋏は、手術や殺菌の厳しい環境に耐えられなくなることが多い。鋏は、頻回に修理する、或いは廃棄や取替えを行う必要がある。一般に、２本の刃部は互いに枢軸ピンによって保持されているが、枢軸ピンは緩むと使用時に刃部同士が広がる危険が増す。更に、刃部は、繰り返しの使用によって切れにくくなるため、何度も研ぐ必要がある。
【０００６】
従来の手術鋏の幾つかの問題点を克服できる一方法は、刃部同士が容易に広がらないようにより硬い刃を使用することであろう。より硬い刃は、高価なより硬い材料を使用することにより、或いは刃部をより肉厚に形成することにより達成できる。しかしながら、刃が厚いと、鋏が嵩張り限られた空間で操作しにくく、重量も増し、使用すると疲れる上、製作費用も高くなるので望ましくなく、実際的ではない。
【発明の開示】
【発明が解決しようとする課題】
【０００７】
本発明の目的は、壊れにくく、きれいに且つ効果的に切断でき、上述の従来の鋏の問題点を避けた或いは最小限に抑えた改良された鋏を提供することである。
【課題を解決するための手段】
【０００８】
広義においては、本発明は、枢動可能に接続された第一及び第二の刃部材を有する鋏であって、第二の刃部材は、この刃部材に沿って少なくとも部分的に延びる拘束部材と組み合わされ、拘束部材から離間し、切断行程中に刃部材の互いに対して遠ざかる相対的横方向移動を拘束するために切断時に第一の刃部材を少なくとも部分的に収容するスロット或いはチャネルを画定している鋏である。
【０００９】
拘束部材は刃部材の広がり変形に対抗し、靭帯等の切れにくい組織の切断を容易にする。
【００１０】
切断行程の最後に鋏が閉じられたとき、第一の刃部材と拘束部材の間に間隙が形成され、第一の刃部材はスロット或いはチャネルの幅より薄くてもよい。この場合、拘束部材は、通常の切断中は第一の刃部材とは必ずしも接触しないが、第一の刃部材が若干変形して間隙がなくなると、拘束部材は更なる変形を制限し始める。
【００１１】
また、拘束部材は切断行程中に第一の刃部材に対して当接していることも可能である。例えば、拘束部材は、切断行程中に第一の刃部材が移動するのに伴って、弾性的に変形するように第一の刃部材に弾性的に当接することができる。この場合、拘束部材は、第一の刃部材の変形に抵抗するために連続的に作用できる。実際、第一の刃部材はスロット或いはチャネルの幅より肉厚に、即ち、幅広にすることができ、この場合は拘束部材の弾性変形は、第一の刃部材を収容するのに不可欠である。鋏のクリーニングや殺菌を容易にするために、拘束部材は円形断面とすることができる。
【００１２】
第二の刃部材と拘束部材とは、共有する長さの少なくとも一部に沿って連結できる。例えば、第二の刃部材と拘束部材とは、一緒になってＵ字状断面を画定できる。これは、剛性が高く製造しやすい。例えば、第二の刃部材と拘束部材とは互いに一体的に形成できる。これに替えて、第二の刃部材と拘束部材とは、共有する長さの殆どに沿って離れていてもよい。例えば、拘束部材の両端で連結されていてもよい。即ち、第二の刃部材と拘束部材とは、一緒になって底の開いたスロットを画定でき、これはクリーニングし易く、閉塞を起こしにくい。
【００１３】
これに替えて、第二の刃部材と拘束部材とは、拘束部材の遠位端は第二の刃部材に連結せずに拘束部材の近位端において連結できる。拘束部材の近位端は、第一の刃部材と第二の刃部材の間の支点を形成できることが有利である。
【００１４】
従来と同様、第一の刃部材は第一のカッティングエッジを画定し、第二の刃部材は第二のカッティングエッジを画定し、これら相互の交差点は切断行程中に遠位側に移動する。拘束部材は第三のカッティングエッジを画定でき、第一のカッティングエッジは、切断行程中、第二のカッティングエッジと第三のカッティングエッジの間を通る。これらカッティングエッジの少なくとも１個は、面取りされ、即ち、横方向に傾斜していてもよく、これにより、組織が刃の外に移動することを防止できる。カッティングエッジは、更に、或いはこれに替えて、鋸歯状、湾曲状、或いは長手方向にスカラップ形状とすることができ、これにより組織が刃の外に移動することを防止できる。
【００１５】
第一の刃部に変形力が加わる点の反対側において第一の刃部の広がり変形に対抗するため、第一の刃部と拘束部材の間の接点或いは接触領域は、対向するカッティングエッジ同士の交差点と整合して一緒に移動できることが有利である。
【００１６】
拘束部材のエッジは、好ましくは、第二の刃部のカッティングエッジと平行であり、より好ましくは、第二の刃部のカッティングエッジと同じ高さであるか或いは同一面上に存在する。
【００１７】
最適な切断効率のため、拘束部材は、好ましくは、第二の刃部よりも背が低く、画定される高さの差は拘束部材と第二の刃部の間のスロット或いはチャネルの幅と少なくとも等しい。
【００１８】
拘束部材と第一の刃部材とは、対向する協働可能な面を有することが有益であり、その配置は、切断行程が進むのに伴ってスロット或いはチャネルに収容される第一の刃部材の部分が増加するような配置が好ましい。これにより、第一の刃部材の遠位端に対する支持は次第に大きくなる。
【００１９】
次に、本発明をより容易に理解するため、添付図面を参照し実施例を用いて現時点での好ましい実施形態を更に説明する。
【発明を実施するための最良の形態】
【００２０】
最初に図１を参照する。図１は、第一及び第二の細長い鋏部材１２、１４を有する一組の手術鋏１０を示す。従来と同様、各鋏部材１２、１４は遠位の刃部１６、１８と近位の持ち手部２０、２２とを有し、鋏部材１２と１４とは、刃部１６、１８と持ち手部２０、２２の間の枢軸においてリベット、ねじ、スタッド或いはピン２４によって互いに枢動可能に接続されている。従来と同様に、刃部１６、１８はカッティングエッジ２６、２８と接触面３０、３２と外面３４、３６と遠位端３８、４０とを有し、持ち手部２０、２２の近位端には指穴４２、４４が設けられている。
【００２１】
従来とは異なり、本発明によれば、第二の刃部１８に拘束部材４６が組み合わされる。拘束部材４６は、第二の刃部１８と一体的に形成されているか、或いは第二の刃部１８とは別個であるが第二の刃部１８に取り付けられている。一体の拘束部材４６を図１に示す。拘束部材４６は第二の刃部１８と略同じ形状であり、内面４８と、外面５０と、内面４８及び外面５０に対して垂直な平坦な上縁５２とを有する。
【００２２】
拘束部材４６の内外面４８、５０は第二の刃部１８の接触面３２及び外面３６に平行であり、拘束部材４６の内面４８は第二の刃部１８の接触面３２に対向して離間している。図１の一体の拘束部材４６及び第二の刃部１８は（図８（ａ）に示すように）Ｕ字断面を有し、Ｕ字の一方の直線部分を第二の刃部１８が形成し、他方の直線部分を拘束部材４６が形成し、両方の直線部分は共通ベース５４によって接続されている。
【００２３】
第二の刃部１８の接触面３２と拘束部材４６の内面４８とは、切断時に第一の刃部１６のカッティングエッジ部を収容するためのチャネル或いはスロット５６を画定している。鋏１０が閉じているとき、カッティングエッジ２６を含む第一の刃部１６の殆どの部分は、第二の刃部１８と拘束部材４６とに挟まれてチャネル或いはスロット５６内に横たわっている。第一の刃部１６の外面３４と拘束部材４６の内面４８とは、互いに離間して小さな間隙を画定してもよいし、互いにすべりばめ状態で当接してもよい。拘束部材４６は、必要であれば第一の刃部１６の摺動移動を促進するために弾性変形できる。これは、チャネル或いはスロット５６の幅が、収容する第一の刃部１６の厚さよりも狭い場合に必要であろう。
【００２４】
従来と同様、切断動作は持ち手部２０、２２を互いに握りしめることにより行われ、これにより、刃部１６、１８の先端３８、４０は互いに向けて開位置から閉位置に枢動する。この移動の間、第一及び第二の刃部１６、１８の対向するカッティングエッジ２６、２８は相互に交差しながら互いに対して摺動する。対向するカッティングエッジ２６、２８の交差点即ち接点は、最初は枢軸２４の近くにあるが、刃部１６、１８の先端３８、４０が互いに接近するのに伴ってカッティングエッジ２６、２８に沿って遠位方向へ移動する。
【００２５】
本発明によれば、拘束部材４６は、第一の刃部１６が第二の刃部１８から遠ざかる方向に横方向に広がる移動を拘束する。このような横方向の移動は、刃部１６、１８の長さ方向に対して横断方向であり、枢動可能な接続部２４によって画定される枢軸に対し平行である。第一及び第二の刃部１６、１８の先端３８、４０が互いに接近するのに伴い、第二の刃部１８の接触面３２と拘束部材４６の内面４８とによって画定されたスロット或いはチャネル５６内に収容される第一の刃部１６の部分は増加する。従って、第一の刃部１６は、拘束部材４６と接触するため、第二の刃部１８から遠ざかる方向に広がることが防止される。
【００２６】
第一の刃部１６と拘束部材４６の間に間隙がある場合、この間隙が無くなって、第一の刃部１６の外面３４が拘束部材４６の内面４８と接触するとすぐに、第一の刃部１６の横方向の移動が拘束される。間隙がない場合、即ち、第一の刃部１６の外面３４が拘束部材１８の内面４８と摺動接触している場合は、第一の刃部１６の横方向の移動は最初から拘束される。いずれの場合においても、第一の刃部１６と拘束部材４６の接点或いは接触領域は、対向するカッティングエッジ２６、２８の交差点と整合して一緒に移動し、第一の刃部１６の広がり変形は、変形力が加わる点の反対側で拘束される。これにより、刃部同士を遠ざける方向に広げてしまうであろう切れにくいものや滑りやすいものの切断が可能となり有利である。
【００２７】
拘束部材４６の上縁５２は第三のカッティングエッジ５８を提供でき、第三のカッティングエッジ５８は、任意ではあるが、図示のように第二の刃部１８のカッティングエッジ２８と平行である。この第三のカッティングエッジ５８は第一の刃部１６の補助カッティングエッジ６０と協働できる、或いは第二の刃部１８のカッティングエッジ２８と協働する第一の刃部１６の同じカッティングエッジ２６と協働できる。図８（ａ）にも示すが、図１の第二及び第三のカッティングエッジ６０、５８は、面一であり、同一面上に存在し、鋏部材１２、１４間の枢動可能な接続部を中心とした第一の刃部１６の移動面に対し垂直な面に配置されている。
【００２８】
図２〜図７の実施形態は、第一及び第二の刃部のカッティングエッジや拘束部材の上縁が、切断前或いは切断時における鋏による組織の掴みを改良するように構成されている点が図１と異なる。
【００２９】
図２の実施形態においては、第二の刃部１８のカッティングエッジ２８ａ及び拘束部材４６の上縁５２ａは鋸歯状である。図３の実施形態は、第一の刃部１６のカッティングエッジ２６ｂも鋸歯状である点のみが図２の実施形態と異なる。
【００３０】
図４の実施形態においては、第一及び第二の刃部１６、１８のカッティングエッジ２６ｃ、２８ｃ及び拘束部材４６の上縁５２ｃは凹状に湾曲している。図示していないが、カッティングエッジの１個のみをこのように湾曲させ、残りのカッティングエッジを直線状或いは他の形状とすることも可能である。また、鋏全体の重量を減少させ操作性を改善するため、遠位の刃部１６、１８のカッティングエッジと反対側のエッジ及び／又は近位の持ち手部２０、２２も同様に凹状に湾曲させることもできる。
【００３１】
図５の実施形態においては、第一の刃部１６のカッティングエッジ２６ｄは、波形スカラップ形状（scalloped）の線を画定する複数の凹状湾曲部或いは山と谷を有する。図６の実施形態においては反対に、第二の刃部１８のカッティングエッジ２８ｅ及び拘束部材４６の上縁５２ｅのみが複数の凹状湾曲部を有する。しかしながら、全てのカッティングエッジを同様に形成できることは明確であろう。
【００３２】
図７は更に別の実施形態を示す。この実施形態は、拘束部材４６の上縁５２ｆ及び第二の刃部１８のカッティングエッジ２８ｆの凹状湾曲部が鋸歯状である点が図６の実施形態と異なる。これに替えて、スカラップ形状エッジ２８ｆ、５２ｆの一方だけを鋸歯状とすることができる。図示していないが、図４及び図５に示す各実施形態の湾曲エッジも鋸歯状にできることは明らかであろう。鋏が、少なくとも１個の凹凸のない鋸歯状のエッジと上述の鋸歯状及び／又は鋸歯状でない湾曲エッジとを組み合わせて有する更に別の各種実施形態も可能である。鋸歯状のエッジは、組織の掴みが改善され、鋸歯のないエッジに比べて研ぐ回数が低減される点において有利である。
【００３３】
図８（ｂ）及び図８（ｃ）と図９（ａ）〜図９（ｃ）とは、前述の全ての実施形態の鋏についての各種変形例の断面図である。図８（ｂ）及び図８（ｃ）は、第二の刃部１８のカッティングエッジ２８ｇが平坦でなく面取りされている点が図１〜図７及び図８（ａ）と異なる。図８（ｂ）においては、拘束部材４６の上縁５２ｇも面取りされている。図８（ｃ）においては、第二の刃部１８のカッティングエッジ２８ｇのみが面取りされており、拘束部材４６の上面５２ｈは平坦であり、内面４８及び外面５０に対して垂直である。この変形例においては、拘束部材４６は第二の刃部１８より背が低く、高さの差はそれらの間の間隙の幅、即ち、対向する第二の刃部１８の接触面３２と拘束部材４６の内面４８の間の距離と等しい。拘束部材４６の背が低いため、拘束部材４６と第二の刃部１８の間のチャネル５６により簡単に近づける。これは、洗浄や殺菌のために有利である。拘束部材４６と第二の刃部１８の高さの差と、それらの間の間隙の幅の比率は１：１より大きくても小さくてもよい。即ち、拘束部材の高さは、拘束部材と第二の刃部の間の間隙の幅よりも小さくても大きくてもよい。
【００３４】
図９（ａ）〜図９（ｃ）、図１０及び図１１の変形例は、第二の刃部１８及び拘束部材４６の断面がＵ字状でない点において前出の全ての実施形態と異なる。その他の点では、これらは図８（ａ）〜図８（ｃ）にそれぞれ対応している。例えば、図９（ｃ）は、面取りされた第二の刃部１８のカッティングエッジ２８ｇと、拘束部材４６の内外面４８、５０に対して垂直な拘束部材４６の平坦な上縁５２ｈとを示し、拘束部材４６と第二の刃部１８の高さの差はそれらの間の間隙の幅と等しい。これらは上と同様に一体的に形成されているが、第二の刃部１８と拘束部材４６とは、全長に亘って延びる共通ベースを有さず、代わりに端部同士が接続されている。これに替えて、第二の刃部１８と拘束部材４６とは、長手方向の一部或いは複数の部分に亘って延びる共通ベースを有していてもよい。言い換えると、第二の刃部１８と拘束部材４６とは、長手方向に沿った数箇所において共通ベースによって連結でき、共通ベースは、第二の刃部１８と拘束部材４６との一方又は両方と一体的に形成されている、或いは第二の刃部１８及び拘束部材４６とは別個であるがこれらに取り付けられている。図示していないが、拘束部材の長さは第二の刃部１８の長さよりも短くすることができる。これは先端が鋭く尖った鋏においては非常に有益である。この場合は、短めの拘束部材を用いることにより、第一及び第二の刃部の鋭く尖った先端の捩れ或いは先端同士の交差を防止できる。
【００３５】
図１０は、第二の刃部１８が、刃部１６、１８と持ち手部２０、２２の間の枢軸２４に近接して配置されたリベット、ねじ、スタッド或いはピン１００によって近位端において拘束部材４６に接続された状態を示す。図１１に示す実施形態は、第二の刃部１８が、リベット、ねじ、ボルト或いはピン１０２によって拘束部材４６に接続されている位置が近位端ではなく遠位端３８、４０である点が図１０に示す実施形態と異なる。図示していないが、第二の刃部１８と拘束部材４６とは、近位端と遠位端の両方においてリベットにより接続できることが分かるであろう。
【００３６】
図８（ｂ）及び図８（ｃ）、図９、図１０並びに図１１の各変形例は、前出の全ての実施形態に適用できる。例えば、図２の実施形態に図９（ａ）の断面形状を適用できる。
【００３７】
図９（ａ）〜図９（ｃ）の各変形例の利点は、第二の刃部と拘束部材の間のチャネル或いはスロット内に汚物や他の残骸が詰まりにくい点である。底が完全に或いは部分的に開いていると、クリーニング時或いは殺菌処理時にスロット５６をより容易に洗い流しやすい。第一の刃部のスロット内への移動も使用時の自己クリーニング動作である。
【００３８】
更に別の実施形態を図１２〜図１４に示す。この実施形態は、第二の刃部１８の全長に亘って延びる第二の刃部１８と略等しい長さの拘束部材４６ａを有するが、拘束部材４６ａは横方向断面が略円形の円筒形である点が先に述べた各変形例と異なる。拘束部材４６ａは、ワイヤ或いはロッドの一部分であり、自由端の、即ち、取り付けられていない遠位端、即ち先端１０４を有する。拘束部材４６ａの他方の端部は、刃部１６、１８と持ち手部２０、２２の間の枢軸における支点を形成している。このように、この拘束部材４６ａの端部は、第一の刃部１６に形成された孔を貫通して延び、第二の刃部１８に固定されている。拘束部材４６ａの丸い外形は、通常のクリーニング技法や殺菌技法を用いて洗浄し易いので有利である。図示していないが、拘束部材４６ａは、拘束部材４６ａの両端において第二の刃部１８と接続するか或いは一体的に形成できるが、そのようにすることにより第一の刃部１６の広がりを低減できる。
【００３９】
図１５及び図１６は本発明の鋏の更に別の実施形態を示す。この実施形態が前出の各実施形態と異なる点は、第二の刃部１８に拘束部材を組み合わせる代わりに、鋏１０の近位の持ち手部の内の少なくとも一方が、他方の近位の持ち手部に向かって持ち手部の長さ方向に対して垂直な方向に延びる楔状の少なくとも１個の突起或いは突出部を有する点である。楔状突出部１１０は、肉厚の端部１１２と、薄い端部１１４と、他方の刃部材と摺動接触している少なくとも１個の傾斜面１１６とを有する。楔状突出部１１０は略三角形断面である。
【００４０】
図１５は、第一の持ち手部２０から第二の持ち手部２０に向けて延びるこのような楔状突出部１１０を有する一丁の鋏１０を示す。楔状突出部１１０は、第一の持ち手部２０の全長の略中間に位置している。楔状突出部１１０の肉厚の端部１１２は、第一の持ち手部２０に対して固定された位置において、第一の持ち手部２０と一体的に形成されているか、或いは別個ではあるが第一の持ち手部２０に取り付けられている。楔状突出部１１０は、第一の持ち手部２０に沿って移動可能なように配置することもできる。任意ではあるが、移動可能な楔状突出部１１０を有する鋏１０は、移動可能な楔状突出部を第一の持ち手部２０に沿った所定の位置に固定できる固定機構を有することができる。
【００４１】
使用時においては、従来の鋏を用いた切断動作と同様に持ち手部２０、２２を互いに接近させると、楔状突出部１１０の傾斜面１１６と第二の持ち手部２２の対向面（図示せず）とは互いに摺動する。楔状突出部１１０の傾斜面１１６におけるこれらの接触領域は、薄い端部１１４から肉厚の端部１１２へ向けて移動し、第一及び第二の持ち手部２０、２２は広げられる、即ち強制的に横方向に遠ざけられる。これは、刃部１６、１８を互いに向けて、横方向に、即ち、切断時の通常の鋏の運動と同様に刃部１６、１８の移動方向に対し横断方向に押し付ける、即ち、付勢する。互いに近づく方向への刃部１６、１８の付勢は、切断時の刃部１６、１８の横方向に広がる移動に対抗する。楔状突出部１１０の位置決め及びその傾斜面１１６の角度は、鋏１０（持ち手部及び刃部）が開位置にあるとき楔状突出部１１０が持ち手部２０、２２の間に横方向の力を与えない角度となっている。
【００４２】
楔面１１６は、有効な切断のために、楔による押し込み力が切断行程の間に増加するように或いは少なくとも減少しないように連続している。これは、持ち手部に形成される公知のラチェット機構とは異なる。ラチェット機構は、不連続の楔面を有する複数の楔を含んでいるということができるが、不連続の楔面では、切断行程の間に継続的な楔力は提供されない。
【００４３】
図１６は、第二の持ち手部２２も同様に、第一の持ち手部２０に向けて延びる楔状突出部１１０を備える点が図１５の実施形態と異なる。この第二の楔状突出部１１０は、外観も機能的にも図１５の突出部と同様である。第二の楔状突出部１１０の傾斜面１１６は、第一の持ち手部２０の対向面と摺動接触している。図示していないが、第一及び第二の持ち手部２０、２２は、２個以上の楔状突出部を含むことができ、楔状突出部は、長さ方向の任意の位置に位置決めできる。これら楔状突出部１１０は、持ち手部２０、２２に対して固定することもできるし、移動可能とすることもできる。
【００４４】
一以上の移動可能な楔状突出部１１０を有する利点は、楔効果、即ち、持ち手部２０、２２同士を広げて離し刃部１６、１８同士を近づける力を、ユーザに要求される力を最小限に抑えながら、信頼性の高い切断のために調節できることである。
【００４５】
本発明は、添付の特許請求の範囲及び本明細書におけるその他の発明の記載に定義されるような基本的な性質から逸脱することなく、他の特定の形態において具体化できる。例えば、第二の刃部及び拘束部材の外面は平行とする必要はない。また、第一の刃部に拘束部材を組合せて、第二の刃部材を収容して第二の刃部材の変形を最小限に抑えるチャネル或いはスロットを画定することも可能である。しかしながら、拘束部材は、組み合わされる刃部材を補強する効果があることは明らかであろう。拘束部材は、第二の刃部と略等しい形状或いは長さのものである必要はない。本発明の鋏を手術鋏として説明したが、布地や他の材料の切断等、非手術用途や非医療用途にも同様に適している。
【図面の簡単な説明】
【００４６】
【図１】本発明の鋏の一実施形態の斜視図である。
【図２】本発明の鋏の第二の実施形態の斜視図である。
【図３】本発明の鋏の第三の実施形態の斜視図である。
【図４】本発明の鋏の第四の実施形態の斜視図である。
【図５】本発明の鋏の第五の実施形態の斜視図である。
【図６】本発明の鋏の第六の実施形態の斜視図である。
【図７】本発明の鋏の第七の実施形態の斜視図である。
【図８（ａ）】図１〜図７の各実施形態のいずれかの断面図である。
【図８（ｂ）】図１〜図７の各実施形態のいずれかの断面図である。
【図８（ｃ）】図１〜図７の各実施形態のいずれかの断面図である。
【図９（ａ）】図１〜図７の各実施形態のいずれかの断面図である。
【図９（ｂ）】図１〜図７の各実施形態のいずれかの断面図である。
【図９（ｃ）】図１〜図７の各実施形態のいずれかの断面図である。
【図１０】図１〜図７の各実施形態のいずれかの変形例の斜視図である。
【図１１】図１〜図７の各実施形態のいずれかの更に別の変形例の斜視図である。
【図１２】本発明の鋏の第八の実施形態の斜視図である。
【図１３】本発明の鋏の第八の実施形態の斜視図である。
【図１４】本発明の鋏の第八の実施形態の斜視図である。
【図１５】本発明の鋏の第九の実施形態の斜視図である。
【図１６】本発明の鋏の第十の実施形態の斜視図である。
【図１】
2008529700.tif 000003
【図２】
2008529700.tif 000004
【図３】
2008529700.tif 000005
【図４】
2008529700.tif 000006
【図５】
2008529700.tif 000007
【図６】
2008529700.tif 000008
【図７】
2008529700.tif 000009
【図８】
2008529700.tif 000010
【図９】
2008529700.tif 000011
【図１０】
2008529700.tif 000012
【図１１】
2008529700.tif 000013
【図１２】
2008529700.tif 000014
【図１３】
2008529700.tif 000015
【図１４】
2008529700.tif 000016
【図１５】
2008529700.tif 000017
【図１６】
2008529700.tif 000018
【国際調査報告】
2008529700.tif 000019
2008529700.tif 000020
2008529700.tif 000021
2008529700.tif 000022
2008529700.tif 000023